(57)【要約】【課題】座部の底端部と支持部の底端部との間にバリが入り込み難い便座の製造方法を提供する。【解決手段】  平面視環状の座部１と、座部１の内周端および外周端の底端面１３に振動溶着により固定される底部２と、座部１の裏面１４に設けられるヒータ３および緩衝材４と、平面視環状をして上面５１が座部１の支持面となり、内周端および外周端の底端面５３が底部２に振動溶着により固定される支持部５と、を備える便座の製造方法である。座部１の裏面１４の底端部１２から離間した部分に溶着部１５が設けられ、支持部５の上面の底端部５２から離間した部分に溶着部５４が設けられ、両溶着部１５、５４が当接することで、支持部５の内周端に位置する底端部５２が座部１の内周端に位置する底端部１２と離間し、支持部５の外周端に位置する底端部５２が座部１の外周端に位置する底端部１２と離間するように配置される。【選択図】図１
2014117318.tif 000002
【特許請求の範囲】
【請求項１】
平面視環状をしてその周方向に垂直な断面において上方に凸となり、上面が座面となる座部と、
平面視環状をして、前記座部の平面視における内周端に位置する底端面と外周端に位置する底端面とに振動溶着により固定される底部と、
前記座部の前記内周端と前記外周端との間の裏面に設けられるヒータと、
前記座部の前記内周端と前記外周端との間の前記裏面に前記ヒータを介して設けられる緩衝材と、
平面視環状をしてその周方向に垂直な断面において上方に凸となり、上面が前記座部の前記裏面に設けられる前記緩衝材に沿う支持面となり、平面視における内周端に位置する底端面と外周端に位置する底端面とが振動溶着により前記底部に固定される支持部と、を備え、
前記座部は、前記ヒータと前記緩衝材が設けられた状態で、振動溶着の加圧に対する耐変形性を付与する座面支持具により前記座面が支持され、
前記支持部は、その前記支持面が前記座部に設けられた前記緩衝材に沿うように前記座部内に配置され、前記支持部の前記内周端に位置する底端部が前記座部の前記内周端に位置する底端部と離間し、且つ、前記支持部の前記外周端に位置する底端部が前記座部の前記外周端に位置する底端部と離間するように配置され、
前記支持部の前記内周端に位置する前記底端面および前記支持部の前記外周端に位置する前記底端面に前記底部が加圧されて、前記支持部の前記内周端に位置する前記底端部が前記座部の前記内周端に位置する前記底端部に離間し、且つ、前記支持部の前記外周端に位置する前記底端部が前記座部の前記外周端に位置する前記底端部に離間した状態で、前記座部の前記底端面および前記支持部の前記底端面が前記底部に振動溶着により固定されて製造される便座の製造方法であって、
前記座部の前記裏面の前記底端部から離間した部分に溶着部が設けられ、
前記支持部の前記上面の前記底端部から離間した部分に溶着部が設けられ、
両方の前記溶着部が当接することで、前記座部の前記底端部と前記支持部の前記底端部とが離間して、両前記溶着部が溶着されることを特徴とする便座の製造方法。
【請求項２】
前記支持部は、その前記内周端に位置する前記底端面が、前記内周端に行く程前記支持面と反対側に位置するように傾斜し、且つ、前記支持部の前記外周端に位置する前記底端面が、前記外周側へ行く程前記支持面と反対側に位置するように傾斜していることを特徴とする請求項１記載の便座の製造方法。
【発明の詳細な説明】
【技術分野】
【０００１】
本発明は、便座の製造方法に関するものである。
【背景技術】
【０００２】
従来から、上面が座面となり裏面にヒータが設けられる座部と、底部とが、振動溶着により固定される便座が知られている（例えば特許文献１参照）。
【０００３】
上記のような従来の便座にあっては、着座者の体重を支持するため、座部が厚肉となっていた。しかし、座部が厚肉であると、座部が着座者の臀部に沿って適度に撓み難く、座り心地が悪くなってしまうものであった。また、座部が厚肉であると、裏面のヒータからの熱が座面に伝導し難いものであった。このため、座部が薄肉とされ、適度に撓み易く、且つ、熱伝導がし易い便座が開発された。この便座は、座部が薄肉とされて、着座者の体重を座部のみで支持するのが困難なため、座部を支持する支持部が設けられている。
【先行技術文献】
【特許文献】
【０００４】
【特許文献１】特開平１０−１６５３３１号公報
【発明の概要】
【発明が解決しようとする課題】
【０００５】
上記従来の便座の製造方法について示す。まず、図２（ａ）に示すように、座部１が座面支持具６に設置される。座部１の裏面にヒータ３が接着され、ヒータ３の裏面に緩衝材４が接着され、支持部５がヒータ３および緩衝材４を介して座部１の裏面側に配置される。次に、図２（ｂ）に示すように、底部２が振動冶具７に掴まれる。次に、図２（ｃ）に示すように、底部２の底端部が、座部１の底端部１２と、支持部５の底端部５２とにそれぞれ当接し、また、座部１の底端部１２と支持部５の底端部５２とが当接するように、座面支持具６に載置される。そして、底部２と、座部１および支持部５とが加圧されて、振動溶着が行われるものである。
【０００６】
しかしながら、この場合、振動溶着された後、座部１と支持部５とが当接していない便座が製造される惧れがあった。すなわち、図２（ｃ）に示すように、底端部１２と底端部５２とが当接する状態で、振動溶着が行われるが、この時、底部２の底端部と、底端部１２や底端部５２との間で発生したバリが、底端部１２と底端部５２との間に入り込み易い。バリが底端部１２と底端部５２との間に入り込むと、座部１と支持部５とが当接していない便座が製造されてしまう。座部１と支持部５とが当接していない便座は、座部１に着座者の体重がかかる場合に、支持部５が座部１を設計通りに支持することができない、という問題があった。
【０００７】
本発明は上記従来の問題点に鑑みて発明したものであって、その目的とするところは、座部の底端部と支持部の底端部との間にバリが入り込み難い便座の製造方法を提供することを課題とするものである。
【課題を解決するための手段】
【０００８】
上記課題を解決するために、本発明の便座の製造方法は、以下の通りである。
【０００９】
平面視環状をしてその周方向に垂直な断面において上方に凸となり、上面が座面となる座部と、平面視環状をして、前記座部の平面視における内周端に位置する底端面と外周端に位置する底端面とに振動溶着により固定される底部と、前記座部の前記内周端と前記外周端との間の裏面に設けられるヒータと、前記座部の前記内周端と前記外周端との間の前記裏面に前記ヒータを介して設けられる緩衝材と、平面視環状をしてその周方向に垂直な断面において上方に凸となり、上面が前記座部の前記裏面に設けられる前記緩衝材に沿う支持面となり、平面視における内周端に位置する底端面と外周端に位置する底端面とが振動溶着により前記底部に固定される支持部と、を備え、前記座部は、前記ヒータと前記緩衝材が設けられた状態で、振動溶着の加圧に対する耐変形性を付与する座面支持具により前記座面が支持され、前記支持部は、その前記支持面が前記座部に設けられた前記緩衝材に沿うように前記座部内に配置され、前記支持部の前記内周端に位置する底端部が前記座部の前記内周端に位置する底端部と離間し、且つ、前記支持部の前記外周端に位置する底端部が前記座部の前記外周端に位置する底端部と離間するように配置され、前記支持部の前記内周端に位置する前記底端面および前記支持部の前記外周端に位置する前記底端面に前記底部が加圧されて、前記支持部の前記内周端に位置する前記底端部が前記座部の前記内周端に位置する前記底端部に離間し、且つ、前記支持部の前記外周端に位置する前記底端部が前記座部の前記外周端に位置する前記底端部に離間した状態で、前記座部の前記底端面および前記支持部の前記底端面が前記底部に振動溶着により固定されて製造される便座の製造方法であって、前記座部の前記裏面の前記底端部から離間した部分に溶着部が設けられ、前記支持部の前記上面の前記底端部から離間した部分に溶着部が設けられ、両方の前記溶着部が当接することで、前記座部の前記底端部と前記支持部の前記底端部とが離間して、両前記溶着部が溶着されることを特徴とする。
【００１０】
また、前記支持部は、その前記内周端に位置する前記底端面が、前記内周端に行く程前記支持面と反対側に位置するように傾斜し、且つ、前記支持部の前記外周端に位置する前記底端面が、前記外周側へ行く程前記支持面と反対側に位置するように傾斜していることが好ましい。
【発明の効果】
【００１１】
本発明の便座の製造方法は、座部の底端部と支持部の底端部との間にバリが入り込み難いものである。
【図面の簡単な説明】
【００１２】
【図１】本発明の一実施形態の便座の製造方法を説明する、便座の要部断面図である。
【図２】（ａ）（ｂ）（ｃ）は従来の便座の製造方法の説明図である。
【発明を実施するための形態】
【００１３】
以下、本発明の便座の製造方法の一実施形態について、添付図面に基いて説明する。
【００１４】
便座は、座部１と、底部２と、ヒータ３と、緩衝材４と、支持部５と、で形成される。
【００１５】
座部１は、合成樹脂によって形成され、平面視環状をしてその周方向に垂直な断面において上方に凸となり、上面が座面１１となるものである。座部１は、平面視における内周端に位置する底端部１２の底端面１３と、外周端に位置する底端部１２の底端面１３とが、振動溶着により底部２に固定される。この底端部１２が、底部２との振動溶着に用いられる。また、座部１の裏面１４の底端部１２から離間した部分に、溶着部１５が突出するように設けられる。
【００１６】
底部２は、平面視環状をして、座部１の平面視における内周端に位置する底端面１３と、外周端に位置する底端面１３とに、振動溶着により固定されるものである。本実施形態においては、平面視形状が座部１の平面視形状と略同じ形状となっている。
【００１７】
ヒータ３は、座部１の内周端と座部１の外周端との間の裏面１４に設けられるものである。このヒータ３は、ニクロム線等の電熱線やいわゆるＰＴＣヒータやマイクロチュービングヒータが適宜用いられるが、他のヒータでもよく特に限定されない。本実施形態では、ヒータ３は座部２の裏面１４に接着剤等で接着されるが、接着により設けられるものに限定されない。
【００１８】
緩衝材４は、座部１の内周端と座部１の外周端との間の裏面１４にヒータ３を介して設けられるものである。この緩衝材４は、座部１に着座者の体重がかかった際にヒータ３を保護するために配設されている。緩衝材４は、ゴム等の弾性に富んだ部材で形成され、且つヒータ３からの熱に耐性を持つ材質により形成される。
【００１９】
支持部５は、合成樹脂により形成され、座部１にかかる着座者の体重を座部１とともに支持するものである。支持部５は、平面視環状をしてその周方向に垂直な断面において上方に凸となっている。支持部５の上面５１は、座部１の裏面１４に設けられる緩衝材４に沿う支持面となっている。支持部５は、平面視における内周端に位置する底端部５２の底端面５３と、外周端に位置する底端部５２の底端面５３とが、振動溶着により底部２に固定される。この底端部５２が、底部２との振動溶着に用いられる。また、支持部５の上面５１の底端部５２から離間した部分に、溶着部５４が突出するように設けられる。
【００２０】
溶着部１５、５４は、振動溶着が行われる際に、同じ高さに位置し、且つ、平面視において重なる位置となるように設けられる。
【００２１】
また本実施形態においては、支持部５の内周端に位置する底端面５３は、内周側へ行く程支持面と反対側に位置するように傾斜し、支持部５の外周端に位置する底端面５３は、外周側へ行く程支持面と反対側に位置するように傾斜している。
【００２２】
振動溶着を行う冶具は、座面支持具６と振動冶具７とで構成されている。座面支持具６は座面１１に沿う形状をした凹所を有する。この凹所に座部１が嵌入された状態で、振動溶着の加圧に対する耐変形性を座部１に付与するように支持する。振動冶具７は底部２に沿う形状をした凹所を有し、この凹所に底部２が嵌入されて、振動冶具７に底部２が固定される。
【００２３】
座部１と底部２と支持部５の振動溶着による連結について説明する。支持部５は、支持面が座部１に設けられた緩衝材４に沿うように座部１内に配置される（図２（ａ）参照）。この時、支持部５の内周端の底端部５２が座部１の内周端の底端部１２と離間し、支持部５の外周端の底端部５２が座部１の外周端の底端部１２に離間する。そして、溶着部１５と溶着部５４とが当接する。
【００２４】
底部２が取付けられた振動冶具７が、座部１とヒータ３と緩衝材４と支持部５とが取付けられた座面支持具６の上方から覆うように載置される（図２（ｂ）参照）。そして、振動冶具７が下方へ移動して、底部２が座部１と支持部５とに加圧される（図２（ｃ）参照）。底部２の内周端の底端面は、支持部５の内周端の傾斜した底端面５３と、座部１の内周端の底端面１３とに対して圧接される。また、底部２の外周端の底端面は、支持部５の外周端の傾斜した底端面５３と、座部１の外周端の底端面１３とに対して圧接される。本実施形態においては、上述した傾斜が設けられていることにより、振動溶着により固定される際、底部２により加圧された支持部５の底端部５２は、押し広げられる。この結果、両方の溶着部１５、５４がより一層圧接されることとなり、溶着が確実に行われることになる。
【００２５】
なお、図示しないが、座部１の内周端に位置する底端面１３が、内周側へ行く程座面１１側に位置するように傾斜し、座部１の外周端に位置する底端面１３が、外周側へ行く程座面１１側に位置するように傾斜してもよい。この結果、振動溶着により固定される際、底部２により加圧された支持部５の内外両方の底端部５２が押し広げられるとともに、座部１の内外両方の底端部１２は狭められ、両方の溶着部１５、５４がより一層圧接される。溶着部１５、５４は、バリが発生する底端部１２と底端部５２とから上方に離間しているため、この間にバリが侵入する惧れは殆どない。
【００２６】
本発明においては、両方の溶着部１５、５４が当接することで、座部１の底端部１２と、支持部５の底端部５２とが離間するものである。この結果、底部２の底端部と、座部１の底端部１２や支持部５の底端部５２との間で発生したバリが、底端部１２と底端部５２との間に入り込んでも問題ない。すなわち、底端部１２と底端部５２とは本発明においては連結される必要がないため、この間にバリが入り込んで底端部１２と底端部５２とが連結されなくても支障がない。そして、座部１と支持部５の連結固定は、両方の溶着部１５、５４により確実に行われる。座部１と支持部５とが連結固定されることで、座部１に着座者の体重がかかる場合に、支持部５および座部１で設計通りに体重を支持することができる。
【符号の説明】
【００２７】
１    座部
１１  座面
１２  底端部
１３  底端面
１４  裏面
１５  溶着部
２    底部
３    ヒータ
４    緩衝材
５    支持部
５１  支持面
５２  底端部
５３  底端面
５４  座部側の面
５５  溶着部
６    座面支持具
７    振動治具
【図１】
2014117318.tif 000003
【図２】
2014117318.tif 000004